(57)【要約】【課題】測定部位の変位があった場合でも、誤った解析が行われることを防ぎ、なおかつ短時間に解析が可能な情報表示システム、情報表示装置およびプログラムを提供する。【解決手段】測定部位の変位を測定して信号を出力する変位測定部と、信号検出の時間軸を表示する表示部と、前記変位測定部と前記表示部とを制御する制御部と、を有し、前記制御部は、前記変位測定部から出力された信号が或る条件を満たした場合に、前記測定部位の変位が検出されたと判断し、当該変位を検出した前記表示部の時刻位置または時間領域に、前記変位を検出したことを表す検出情報を表示させる。【選択図】図１
2019162404.tif 000002
【特許請求の範囲】
【請求項１】
測定部位の変位を測定して信号を出力する変位測定部と、
信号検出の時間軸を表示する表示部と、
前記変位測定部と前記表示部とを制御する制御部と、
を有し、
前記制御部は、
前記変位測定部から出力された信号が或る条件を満たした場合に、前記測定部位の変位が検出されたと判断し、
当該変位を検出した前記表示部の時刻位置または時間領域に、前記変位を検出したことを表す検出情報を表示させる、
ことを特徴とする情報表示システム。
【請求項２】
前記制御部は、前記変位を検出した際に、前記検出情報に付随する情報として、検出された変位情報を保存する、
ことを特徴とする請求項１に記載の情報表示システム。
【請求項３】
前記制御部は、前記変位情報として、変位した後の前記測定部位の位置情報を含む、
ことを特徴とする請求項２に記載の情報表示システム。
【請求項４】
前記制御部は、前記変位情報として、前記測定部位の変位し始めの時刻／変位終わりの時刻を含む、
ことを特徴とする請求項２または３に記載の情報表示システム。
【請求項５】
信号検出の時間軸を表示する表示部と、
測定部位の変位を測定して信号を出力する変位測定部と前記表示部とを制御する制御部と、
を有し、
前記制御部は、
前記変位測定部から出力された信号が或る条件を満たした場合に、前記測定部位の変位が検出されたと判断し、
当該変位を検出した前記表示部の時刻位置または時間領域に、前記変位を検出したことを表す検出情報を表示させる、
ことを特徴とする情報表示装置。
【請求項６】
前記制御部は、前記変位を検出した際に、前記検出情報に付随する情報として、検出された変位情報を保存する、
ことを特徴とする請求項５に記載の情報表示装置。
【請求項７】
前記制御部は、前記変位情報として、変位した後の前記測定部位の位置情報を含む、
ことを特徴とする請求項６に記載の情報表示装置。
【請求項８】
前記制御部は、前記変位情報として、前記測定部位の変位し始めの時刻／変位終わりの時刻を含む、
ことを特徴とする請求項６または７に記載の情報表示装置。
【請求項９】
コンピュータを、
信号検出の時間軸を表示する表示部と、
測定部位の変位を測定して信号を出力する変位測定部と前記表示部とを制御する制御部と、
として機能させ、
前記制御部は、
前記変位測定部から出力された信号が或る条件を満たした場合に、前記測定部位の変位が検出されたと判断し、
当該変位を検出した前記表示部の時刻位置または時間領域に、前記変位を検出したことを表す検出情報を表示させる、
ことを特徴とするプログラム。
【発明の詳細な説明】
【技術分野】
【０００１】
本発明は、情報表示システム、情報表示装置およびプログラムに関する。
【背景技術】
【０００２】
患者の生体信号に対し、任意のタイミングでモニタ中の生体信号にコメントを付加して登録し、登録された生体信号に関するデータを任意のタイミングで表示する手法が知られている（例えば、特許文献１参照）。この公知技術では、モニタ中の単一の波形の所望の範囲を指定してコメントとともに保存し、表示の際にはコメントが単一の波形とともに表示される。コメントは、波形表示画面の空きスペースに表示されている。
【０００３】
また、生理学情報を表示するチャート部分に波形とディジタル式アノテーションを表示する技術において、複数のタイプの生理学信号（たとえば胎児心拍数信号と子宮内圧力信号）が同期して同じ時間軸に沿ってプロットされ得ることが知られている（例えば、特許文献２参照）。
【発明の概要】
【発明が解決しようとする課題】
【０００４】
ディジタルアノテーションを用いた公知の技術では、複数のタイプの生理学信号に対してどのようにディジタル式アノテーションを入力し、どのように表示するのかについて、具体的な手法は開示されていない。また、複数のタイプの生理学信号の各々は、単一の波形で表される。
【０００５】
近年、脳の神経活動に関する研究が進んでおり、脳磁計や脳波計の開発が進められている。脳磁計や脳波計では、一つの種類の生体信号を得るのに多数のセンサからの微弱な信号波形を収集する。この微弱な脳信号を測定する際に測定部位（例えば、脳の場合、頭部）が動いた場合、正しい信号が測定できなくなる。この測定部位の移動に気づかずに測定結果を解析した場合、正しい解析が行われないという問題がある。
【０００６】
この問題を解決するために、測定部位を器具により固定する手法がいくつか提案されている（例えば、特許文献３〜５参照）。これらの手法は、被験者の意図しない測定部位の動きに対しては一定の有効性があるものの、小児を測定する場合のように被験者が意図的に測定部位を動かすことに対応することは困難である。意図的な動きを防ぐほど強固に測定部位を測定することは、小児に対しては極めて難しい。仮に、測定部位が固定されたとしても、それによる脳活動が生じ、本来目的とする測定が行えない可能性が極めて高い。
【０００７】
本発明は、上記に鑑みてなされたものであって、測定部位の変位があった場合でも、誤った解析が行われることを防ぎ、なおかつ短時間に解析が可能な情報表示システム、情報表示装置およびプログラムを提供することを目的とする。
【課題を解決するための手段】
【０００８】
上述した課題を解決し、目的を達成するために、本発明は、測定部位の変位を測定して信号を出力する変位測定部と、信号検出の時間軸を表示する表示部と、前記変位測定部と前記表示部とを制御する制御部と、を有し、前記制御部は、前記変位測定部から出力された信号が或る条件を満たした場合に、前記測定部位の変位が検出されたと判断し、当該変位を検出した前記表示部の時刻位置または時間領域に、前記変位を検出したことを表す検出情報を表示させる、ことを特徴とする。
【発明の効果】
【０００９】
本発明によれば、測定部位の変位の特定が容易で視認しやすい表示画面を実現することができる、という効果を奏する。
【図面の簡単な説明】
【００１０】
【図１】図１は、実施の形態にかかる生体信号計測システムの外観図である。
【図２】図２は、開始画面の一例を示す図である。
【図３】図３は、測定収録画面の一例を示す図である。
【図４】図４は、図３の測定収録画面の左側の領域の拡大図である。
【図５】図５は、図３の測定収録画面の右側の領域の拡大図である。
【図６】図６は、アノテーション情報が入力された画面を示す図である。
【図７】図７は、更新されたアノテーションリストの図である。
【図８】図８は、測定収録時の情報表示処理のフローチャートである。
【図９】図９は、測定部位の変位検出の判断処理の流れを示すフローチャートである。
【図１０】図１０は、解析画面の一例を示す図である。
【図１１】図１１は、図１０の解析画面の左側の領域の拡大図である。
【図１２】図１２は、図１０の解析画面の右側の領域の拡大図である。
【図１３】図１３は、図１１の解析画面で特定のアノテーションラインが選択された直後の画面を示す図である。
【図１４】図１４は、図１３の左側の領域の拡大図である。
【図１５】図１５は、図１３の右側の領域の拡大図である。
【図１６】図１６は、解析時の情報表示処理のフローチャートである。
【図１７】図１７は、表示レイアウトの変形例を示す図である。
【図１８】図１８は、表示レイアウトの別の変形例を示す図である。
【図１９】図１９は、情報表示システムのハードウェア構成図である。
【図２０】図２０は、情報表示システムの機能ブロック図である。
【発明を実施するための形態】
【００１１】
以下に添付図面を参照して、情報表示システム、情報表示装置およびプログラムの実施の形態を詳細に説明する。
【００１２】
図１は、実施の形態にかかる情報表示技術の適用例としての生体信号計測システム１の外観図である。生体信号計測システム１は、複数種類の生体信号、たとえば脳磁図（ＭＥＧ：Magneto-encephalography）信号と脳波図（ＥＥＧ：Electro-encephalography）信号を計測し、表示する。生体信号計測システム１は、測定装置３と、データ収録サーバ４２と、情報表示システム２０と、被測定者の頭部位置を計測する頭部位置計測装置５０と、を含む。
【００１３】
情報表示システム２０は、計測で得られた信号情報と解析結果を表示するモニタディスプレイ２６を有する。ここでは、データ収録サーバ４２と情報表示システム２０が別々に描かれているが、データ収録サーバ４２の少なくとも一部を情報表示システム２０に組み込んでもよい。頭部位置計測装置５０は、測定部位の変位を測定して信号を出力する変位測定部である。
【００１４】
被測定者は、頭に脳波測定用の電極（またはセンサ）を付けた状態で測定テーブル４に仰向けで横たわり、測定装置３のデュワ３０の窪み３１に頭部を入れる。デュワ３０は、液体ヘリウムを用いた極低温環境の保持容器であり、デュワ３０の窪み３１の内側には脳磁測定用の多数の磁気センサが配置されている。測定装置３は、電極からの脳波信号と、磁気センサからの脳磁信号と、頭部位置計測装置５０からの頭部位置情報とを収集し、収集された生体信号をデータ収録サーバ４２に出力する。データ収録サーバ４２に収録されたデータは、情報表示システム２０に読み出されて表示され、解析される。一般的に、磁気センサを内蔵するデュワ３０と測定テーブル４は磁気シールドルーム内に配置されているが、図示の便宜上、磁気シールドルームを省略している。
【００１５】
情報表示システム２０は、複数の磁気センサからの脳磁信号の波形と、複数の電極からの脳波信号の波形を、同じ時間軸上に同期させて表示する。脳波信号は、神経細胞の電気的な活動（シナプス伝達の際にニューロンの樹状突起で起きるイオン電荷の流れ）を電極間の電圧値として表すものである。脳磁信号は、脳の電気活動により生じた微小な磁場変動を表わす。脳磁場は高感度の超伝導量子干渉計（ＳＱＵＩＤ）センサで検知される。
【００１６】
図２は、モニタディスプレイ２６に表示される開始画面２０４の一例を示す図である。開始画面２０４には、「測定収録」と「解析」の選択ボックスが表示される。脳波及び／または脳磁測定の場合、データの測定収録とデータの解析は、別々の主体によって行われる場合が多い。たとえば、測定技師（測定者）によって「測定収録」のボックスが選択されると、測定装置３で測定されたデータは順次データ収録サーバ４２に保存され、情報表示システム２０に読み出されてモニタディスプレイ２６に表示される。測定収録の終了後、医師によって「解析」ボックスが選択されると、収録された測定データが読み出され解析される。以下で測定収録と解析の具体的な態様について説明する。
【００１７】
＜測定収録時の動作＞
図３は、測定収録画面２０５の一例を示す図である。画面のタブ１１１に「測定収録」画面であることが表示されている。測定収録画面は、測定された信号波形を表示する領域２０１Ａと、信号波形以外のモニタ情報を表示する領域２０１Ｂを有する。信号波形を表示する領域２０１Ａは、測定者からみて画面の左側に配置され、信号波形以外のモニタ情報を表示する領域２０１Ｂは、測定者からみて画面の右側に配置されている。リアルタイムで検出され表示される波形の動き（画面の左側から右側に向かって表示される）に合わせた測定者の視線の動きと、画面左側の領域２０１Ａから右側の領域２０１Ｂへマウスを移動させるときの動きに無駄が生じず、作業効率が向上する。
【００１８】
表示画面の領域２０１Ｂでは、測定中に被測定者の様子を確認するためのモニタウィンドウ１７０が表示される。測定中の被測定者のライブ映像を表示することで、後述するように、信号波形のチェック、判断の信頼性を高めることができる。図３では、ひとつのモニタディスプレイ２６の表示画面に、測定収録画面の全体が表示される場合を示しているが、左側の領域２０１Ａと右側の領域２０１Ｂを、２台もしくはそれ以上のモニタディスプレイに分けて別々に表示してもよい。
【００１９】
図４は、図３の左側の領域２０１Ａの拡大図である。領域２０１Ａは、信号検出の時間情報を画面の水平方向（第１方向）に表示する第１の表示部としての表示部１１０と、信号検出に基づく複数の信号波形を画面の垂直方向（第２方向）に並列に表示する第２の表示部としての表示部１０１〜１０３を有する。
【００２０】
表示部１１０で表示される時間情報は、図４の例では、時間軸１１２に沿って付された時間表示を含むタイムラインであるが、時間（数字）を表示せずに、帯状の軸だけでもよいし、軸を設けずに時間（数字）の表示だけであってもよい。また、画面上側の表示部１１０の他に、表示部１０３の下側に時間軸１１２を表示して、タイムラインを表示してもよい。
【００２１】
領域２０１Ａでは、同種の複数のセンサから取得される複数の信号波形、あるいは複数種類のセンサ群から取得される複数種類の信号の波形が、同じ時間軸で同期して表示される。たとえば、表示部１０１には被測定者の頭部右側から得られる複数の脳磁信号の波形が、表示部１０２には被測定者の頭部左側から得られる複数の脳磁信号の波形が、それぞれ並列に表示されている。表示部１０３には、複数の脳波信号の波形が並列に表示されている。これらの複数の脳波信号波形は、各電極間で測定された電圧信号である。これらの複数の信号波形の各々は、その信号が取得されたセンサの識別番号あるいはチャネル番号と対応付けられて表示されている。
【００２２】
測定が開始され各センサからの測定情報が収集されると、時間の経過とともに領域２０１Ａの各表示部１０１〜１０３の左端から右方向に向けて信号波形が表示される。ライン１１３は計測の時刻（現在）を示しており、画面の左から右に向けて移動する。領域２０１Ａの右端（時間軸の右端）まで信号波形が表示されると、その後は画面の左端から右に向けて徐々に信号波形が消え、消えた位置に新しい信号波形が順次左から右方向に表示され且つライン１１３も左端から右に向けて移動していく。これとともに、水平方向の表示部１１０でも測定の進行に対応して、時間の経過が時間軸１１２上に表示される。測定収録は、終了ボタン１１９が押されるまで継続される。
【００２３】
測定者（収録者）がデータ収録中に信号波形上で波形の乱れ、振幅の特異点等に気付いたときに、問題となる箇所または範囲を信号波形上でマークすることができる。マーキングの箇所または範囲は、マウスによるポインタ操作あるいはクリック操作で指定することができる。指定された箇所（または範囲）は、表示部１０１〜１０３の信号波形上に強調表示されるとともに、指定結果が対応する時刻位置又は時間範囲で、表示部１１０の時間軸１１２に沿って表示される。時間軸１１２上への表示を含むマーキングの情報は、信号波形データとともに保存される。指定された箇所は或る時刻に対応し、指定された範囲は或る時刻を含む一定範囲に対応する。
【００２４】
図４の例では、時刻ｔ１で、表示部１０３で１以上のチャネルを含む範囲が指定され、マーク１０３ａ−１で時刻ｔ１を含んだ時間がハイライト表示されている。マーク１０３ａ−１の表示と関連して表示部１１０の対応する時刻位置に、指定結果を示すアノテーション１１０ａ−１が表示されている。時刻ｔ２で、表示部１０３で別の波形位置またはその近傍がマークされ、その位置（時刻ｔ２）または近傍の領域（少なくとも時間範囲か複数の波形のいずれか一つが指示される）にマーク１０３ａ−２がハイライト表示されている。同時に、表示部１１０の対応する時刻位置（時間範囲）に、アノテーション１１０ａ−２が表示される。
【００２５】
時刻ｔ１で表示部１１０に追加されたアノテーション１１０ａ−１は、一例として、アノテーション識別番号と、波形の属性を示す情報を含む。この例では、アノテーション番号「１」とともに、波形の属性を表わすアイコンと「strong  spike」（ストロングスパイク）というテキスト情報が表示されている。
【００２６】
時刻ｔ２で、測定者が別の波形箇所またはその近傍領域を指定すると、指定された箇所でマーク１０３ａ−２がハイライト表示され、これとともに、表示部１１０の対応する時刻位置に、アノテーション番号「２」が表示される。さらに、ハイライト表示された箇所に、属性選択のためのポップアップウィンドウ１１５が表示される。ポップアップウィンドウ１１５は、種々の属性を選択する選択ボタン１１５ａと、コメントや追加情報を入力する入力ボックス１１５ｂを有する。選択ボタン１１５ａには、波形の属性として「速波（fast  activity）」、「眼球運動（eye  motion）」、「体動（body  motion）」、「スパイク（spike）」など、波形乱れの要因が示されている。測定者は、画面の領域２０１Ｂのモニタウィンドウ１７０で被測定者の様子を確認することができるので、波形の乱れの原因を示す属性を適切に選択することができる。たとえば、波形にスパイクが生じたときに、てんかんの症状を示すスパイクなのか、被測定者の体動（くしゃみ等）に起因するスパイクなのかを判断することができる。
【００２７】
時刻ｔ１でも同じ操作が行われており、図４では、ポップアップウィンドウ１１５で「スパイク」の選択ボタン１１５ａが選択され、入力ボックス１１５ｂに「strong  spike」と入力されたことにより表示部１１０にアノテーション１１０ａ―１が表示されている。このような表示態様により、同じ時間軸上に多数の信号波形を同期して表示する際に、信号波形の注目箇所または範囲を視認により容易に特定することができ、かつ注目箇所の基本情報を容易に把握することができる。
【００２８】
アノテーション１１０ａ−１の一部または全部、たとえば、属性アイコンとテキストアノテーションの少なくとも一方を、表示部１０３の信号波形上のマーク１０３ａ−１の近傍にも表示してもよい。信号波形上へのアノテーションの追加は、波形形状のチェックの妨げになる場合もあり得るので、表示部１０１〜１０３の信号波形上にアノテーションを表示させる場合は、表示・非表示を選択可能にしておくことが望ましい。
【００２９】
カウンタボックス１１８は、スパイクアノテーションの累積数を表示する。「スパイク」が選択される都度、カウンタボックス１１８のカウンタ値がインクリメントされ、収録開始から現在（ライン１１３）までのトータルのスパイク数が一目でわかるようになっている。
【００３０】
図５は、図３の測定収録画面の右側の領域２０１Ｂの拡大図である。図５は、図４と同じ時刻（ライン１１３の時点）での状態を示す。領域２０１Ｂのモニタウィンドウ１７０では、頭部を測定装置３に入れて測定テーブル４に横たわっている被測定者の状態のライブ映像が表示される。領域２０１Ｂでは、表示部１０１、１０２、１０３の信号波形の各々に対応する分布図１４１、１４２、１３０と、アノテーションリスト１８０が表示される。アノテーションリスト１８０は、図４の信号波形上でマークされたアノテーションの一覧である。表示部１０１〜１０３で信号波形上の位置または範囲が指定されアノテーションが付される都度、対応する情報がアノテーションリスト１８０に順次追加される。測定収録画面におけるアノテーションリスト１８０への追加と表示は、たとえば降順（新しいデータを上に表示）で行われるが、この例に限定されない。アノテーションリスト１８０の表示を昇順にしてもかまわないが、表示部１１０で時間軸１１２に沿って表示されるアノテーションとの対応関係がわかるように表示する。さらに、表示順序を変更させたり、項目ごとにソートさせたりることも可能である。
【００３１】
図５の例では、アノテーション番号「１」に対応する時刻情報と、付加されたアノテーション情報がリストされている。アノテーション情報として、「スパイク」を表わす属性アイコンと、「strong  spike」というテキストが記録されている。また、マーク１０３ａ−１がハイライト表示された時点で、アノテーション番号「２」に対応する時刻情報がリストされている。
【００３２】
また、図５の例では、アノテーション番号「３」に対応する時刻情報と、付加されたアノテーション情報がリストされている。アノテーション情報として、頭部が動いたことを示す「体動」を表わす属性アイコンと、「body  motion」というテキストが記録されている。
【００３３】
アノテーションリスト１８０の近傍に、表示／非表示の選択ボックス１８０ａが配置されている。選択ボックス１８０ａで非表示が選択されると、表示部１０１〜１０３で、信号波形上のハイライトマーク以外のアノテーションが非表示にされるが、表示部１１０の時間軸１１２に沿ったアノテーションの表示は維持される。これにより、信号波形の視認性を阻害せずにアノテーション情報を認識可能にする。
【００３４】
図６は、アノテーション情報が入力された画面を示す図である。図６は、時刻ｔ２でポップアップウィンドウ１１５の「スパイク」が選択され、「normal  spike」（ノーマルスパイク）というテキストが入力され、かつ、時刻ｔ３でポップアップウィンドウ１１５の「体動」が選択され、「body  motion」というテキストが入力された画面を示す。図４で例示したポップアップウィンドウ１１５で「ＯＫ」ボタンが選択されると、ポップアップウィンドウ１１５が閉じて、図６に示すように表示部１１０の対応する時刻位置にアノテーション１１０ａ−２が表示される。アノテーション番号「２」と対応付けて、「スパイク」を表わす属性アイコンと、「normal  spike」のテキスト情報が表示される。アノテーション番号「３」と対応付けて、「体動」を表わす属性アイコンと、「body  motion」のテキスト情報が表示される。これと同時に、カウンタボックス１１８の値がインクリメントされる。また、ハイライト表示されたマーク１０３ａ−２の近傍に、属性アイコン１０６−２が表示される。この例では、マーク１０３ａ−１の近傍にも属性アイコン１０６−１が表示されているが、上述したように、属性アイコン１０６−１、１０６−２の表示、非表示は選択可能である。マーク１０３ａ−１と属性アイコン１０６−１を含むアノテーションＡ１、及びマーク１０３ａ−２と属性アイコン１０６−２を含むアノテーションＡ２も、アノテーション情報に含まれる。
【００３５】
図７は、アノテーションリスト１８０を示す。画面左側の領域２０１Ａでマーク１０３ａ―２に対応するアノテーションが付加されたことにより、アノテーションリスト１８０が更新される。アノテーション番号「２」に「normal  spike」というメモが追加される。また、アノテーション番号「３」に「body  motion」というメモが追加される。
【００３６】
以下同様に、測定中に領域２０１Ａで信号波形上の特定の箇所または範囲が指定される都度、指定箇所が強調表示されるとともに、表示部１１０の時間軸１１２に沿ってアノテーション情報が表示される。領域２０１Ｂでは、アノテーションリスト１８０にアノテーション情報が順次追加される。
【００３７】
アノテーションリスト１８０及び信号波形表示の領域２０１Ａにおいて、アノテーション番号の表示は必須ではなく、用いなくてもよい。付加されたアノテーションを識別できる情報であれば任意の情報を識別情報として用いることができる。たとえば、属性アイコンと属性文字列（「strong  spike」等）と、時間軸の近傍に時刻と対応付けて表示してもよい。さらに、領域２０１Ａにファイル番号（図６の「Ｆｉｌｅ」の項目に表示される番号）を併記して表示してもよい。
【００３８】
終了ボタン１１９（図４に示す）が選択（押下）され測定が終了すると、表示部１０１〜１０３で指定されたハイライト箇所は信号波形に対応付けて保存される。表示部１１０の対応する時刻位置に表示されたアノテーション情報も、アノテーション番号と時刻に対応付けて保存される。カウンタボックス１１８のカウンタ値、アノテーションリスト１８０の内容等の関連情報も保存される。これらの表示情報を保存することで、測定者と解析者が異なる場合でも、解析者は容易に問題となる箇所を認識し、解析することができる。
【００３９】
図８は、情報表示システム２０で行われる測定収録段階での情報表示処理のフローチャートである。図２に示す開始画面２０４で「測定収録」が選択されると（Ｓ１１）、測定が開始され、複数の信号の波形が同じ時間軸に沿って同期して表示される（Ｓ１２）。ここで「複数の信号波形」という場合は、同一種類の複数のセンサで検知された信号波形と、異なる種類のセンサの各々で検知された複数の信号波形の両方を含む。
【００４０】
情報表示システム２０は、表示されている信号波形上で注目箇所または範囲が指定されたか否かを判断する（Ｓ１３）。注目箇所または範囲の指定があると（Ｓ１３でＹｅｓ）、信号波形の表示領域（表示部１０１〜１０３）に指定箇所を強調表示するとともに、時間軸領域（表示部１１０）の対応する時刻位置に指定結果を表示する（Ｓ１４）。指定結果には、指定がなされたこと自体を示す情報、または指定の識別情報が含まれる。時間軸領域への指定結果の表示と同時に、あるいは前後して、アノテーションの入力要求の有無を判断する（Ｓ１５）。アノテーション入力の要求がある場合は（Ｓ１５でＹｅｓ）、入力されたアノテーション情報を時間軸領域の対応する時刻位置に表示するとともに、アノテーションリストに追加する（Ｓ１６）。その後、測定終了コマンドが入力されたか否かを判断する（Ｓ１７）。注目位置（領域）の指定がない場合（Ｓ１３でＮｏ）、及びアノテーションの入力要求がない場合（Ｓ１５でＮｏ）は、ステップＳ１７へ飛んで測定終了の判断を行う。測定が終了するまで（Ｓ１７でＹｅｓ）、ステップＳ１３〜Ｓ１６を繰り返す。
【００４１】
この情報表示方法により、複数のセンサからの信号を収集する際に、信号情報の視認性の高い測定収録画面が提供される。
【００４２】
以上、測定者が手作業でアノテーションを付与する方法について説明した。本発明では、測定者が手作業で付与する以外に、次の方法で自動的にアノテーションを付与することも可能である。
【００４３】
情報表示システム２０は、頭部位置計測装置５０からの信号を解析し、頭部の位置ずれを検出する。頭部位置計測装置５０としては、たとえば光学式トラッキング装置を用いることができる。最も容易な手法としては、情報表示システム２０は、計測された位置がある所望のしきい値以上変動した場合に、位置ずれが生じたと判断する。
【００４４】
ここで、図９は、測定部位の変位検出の判断処理の流れを示すフローチャートである。図９に示すように、情報表示システム２０は、位置ずれ判断開始時に、位置Ｐに初期位置Ｐｉｎｉ、時刻Ｔに開始時刻Ｔｓｔａｒｔを設定する（Ｓ３１）。次に、情報表示システム２０は、マーカコイルで計測した計測位置Ｐｃを取得する（Ｓ３２）。
【００４５】
情報表示システム２０は、計測位置Ｐｃと位置Ｐとの差分がしきい値Ｔｈより大きい場合（Ｓ３３でＹｅｓ）、当該時刻Ｔにアノテーションを付加する（Ｓ３４）。
【００４６】
また、情報表示システム２０は、位置Ｐを計測位置Ｐｃの値に置き換え（Ｓ３５）、時刻が最終である場合（Ｓ３６でＹｅｓ）、判断終了となる。
【００４７】
一方、情報表示システム２０は、最終時刻でない場合（Ｓ３６でＮｏ）、時刻Ｔをインクリメント（Ｔ＝Ｔ＋１）した上で（Ｓ３７）、ステップＳ３２に戻る。
【００４８】
なお、情報表示システム２０は、ステップＳ３３で差分がしきい値Ｔｈ以下である場合は（Ｓ３３でＮｏ）、時刻Ｔをインクリメント（Ｔ＝Ｔ＋１）した上で（Ｓ３７）、ステップＳ３２に戻る。
【００４９】
情報表示システム２０は、位置ずれが検出されたならば、測定者が手作業で付与したのと同様に、検出された時刻にアノテーションを付与する。この際、情報表示システム２０は、アノテーションに付随する情報として、検出された変位情報を保存する。本実施の形態では、変位情報に、位置ずれ後の頭部座標（位置情報）を含めて保存する。
【００５０】
なお、図３にアノテーション表示の一例（頭部移動開始アノテーション１１０ｂ−１、頭部移動終了アノテーション１１０ｂ−２、頭部移動アノテーション１１０ｂ−３）を示す。
【００５１】
頭部座標はダイポール推定等、後段の処理で信号源を推定する際に必要となる。ダイポール推定においては、頭部座標が正しく無い場合、誤った位置にダイポールが推定されてしまい、診断への影響が懸念される。位置ずれ後の頭部座標を用いることで、正しい位置にダイポールを推定することが可能となる。
【００５２】
また、図３に示す上記形態に替えて、頭部移動終了アノテーション１１０ｂ−２のみの表示であってもよい。
【００５３】
ところで、位置ずれは瞬時に起こるとは限らない。ゆっくりとした動作の場合、ある程度の時間幅を持って位置ずれが完了する。そこで、このようなケースに対応するために、アノテーションの情報として１つの時刻ではなく、位置ずれの開始時刻（頭部移動開始アノテーション１１０ｂ−１）／終了時刻（頭部移動アノテーション１１０ｂ−３）のように複数の時刻の情報をアノテーションに持たせても良い。なお、以下の説明においては、ここで自動的に付与されたアノテーションを「位置ずれアノテーション」と呼ぶ。
【００５４】
＜解析時の動作＞
図１０は、解析時の情報表示システム２０の解析画面２０６の一例を示す図である。解析画面は、図２の開始画面２０４で「解析」ボタンを選択することで表示させる。画面のタブ１１１に「解析」画面であることが表示されている。解析画面は、収録された信号波形をアノテーションとともに表示する領域２０２Ａと、解析情報を表示する領域２０２Ｂを有する。収録された信号波形とアノテーション情報を表示する領域２０２Ａは、測定者からみて画面の左側に配置され、解析情報を表示する領域２０２Ｂは、測定者からみて右側に配置されている。これは、解析の際に、領域２０２Ａで信号波形をチェックまたは選択しながら、マウス等を操作して領域２０２Ｂで解析結果を確認または確定させる作業の効率が良いからである。
【００５５】
本例では、領域２０２Ａの第２の表示部１０３の脳波信号の波形の画面上方に、第２の表示部１０１，１０２の脳磁信号の波形を表示している。また、領域２０２Ａの右側の領域２０２Ｂでは、領域２０２Ａに近い側の画面領域で且つ画面上方に脳磁分布図１４１，１４２を表示し、脳波分布図１３０をその下方に表示している。このため、解析者は、第２の表示部１０３の「脳波信号の波形」→第２の表示部１０１，１０２の「脳磁信号の波形」→脳磁分布図１４１、１４２→脳波分布図１３０の順に（この場合は、時計回りで）視線移動を行える。そのため、解析者（または測定者）の視線移動が効率的になり、その結果、解析作業効率を向上させることが可能となる。なお、上記では、時計回りとして説明したがこの例に限定されない。
【００５６】
また、図１０では、ひとつのモニタディスプレイ２６の表示画面に、解析画面の全体が表示される場合を示しているが、左側の領域２０２Ａと右側の領域２０２Ｂを、２台もしくはそれ以上のモニタディスプレイに分けて別々に表示してもよい。
【００５７】
図１１は、図１０の解析画面の左側の領域２０２Ａの拡大図である。領域２０２Ａは、測定時の時間情報を画面の水平方向（第１方向）に表示する表示部１１０及び表示部１２０と、収録された信号波形を種類ごとに画面の垂直方向（第２方向）に並べて表示する表示部１０１〜１０３を有する。
【００５８】
表示部１１０には、収録時の時間の経過を示す時間軸１１２と、時間軸１１２に沿って付加されたアノテーション１１０ａ−７、１１０ａ−８が表示される。表示部１２０には収録時間の全体を示す時間軸１２２が表示される。時間軸１２２に沿って、アノテーションが付加された時刻位置を示すポインタマーク１２０ａと、表示部１０１〜１０３に現在表示されている信号波形が収録された時間帯を示すタイムゾーン１２０ｂが表示される。
この表示により、解析者は、現在解析中の信号波形が、測定収録時のどの段階で取得された信号波形なのかを直感的に把握することができる。
【００５９】
解析者は、解析画面を開いた後に、たとえば、時間軸１２２のバー上でタイムゾーン１２０ｂをドラッグすることで所望の時間帯の信号波形を表示部１０１〜１０３に表示させることができる。あるいは、後述するように、アノテーションリスト１８０の中から所望のアノテーションを選択することで、そのアノテーションを含む前後の信号波形を表示部１０１〜１０３に表示させることができる。
【００６０】
表示部１０１〜１０３には、収録時に信号波形に付加されたアノテーションＡ７、Ａ８が表示されている。マーク１０３ａ−７、１０３ａ−８がハイライト表示され、マーク１０３ａ−７、１０３ａ−８の近傍に対応する属性アイコン１０６−７、１０６−８が表示されている。また、マーク１０３ａ−７、１０３ａ−８の時刻位置を示す縦のライン１１７−７、１１７−８が表示されている。ライン１１７が表示されることで、たとえば、表示部１０３の所定の箇所の指定と関連してアノテーションが付加されたときに、異なる種類の信号表示エリアである表示部１０２、１０１においても、指定の結果が容易に視認できる。ライン１１７は、アノテーション情報の視認を容易にするという意味でアノテーション情報に含めることができ、「アノテーションライン」と称してもよい。ライン１１７を選択することで、その時刻の前後の一定時間を含めて、信号波形が拡大表示される。この処理については後述する。
【００６１】
図１２は、図１１と同じ時間での解析画面の右側の領域２０２Ｂの拡大図である。表示部１０１と１０２に表示されている信号波形に対応する脳磁分布図１４１、１４２、及び表示部１０３に表示されている信号波形に対応する脳波分布図１３０が表示されている。また、脳磁図（ＭＥＧ；Magnetoencephalograph）の等磁場図１５０と、脳波図（ＥＥＧ；Electroencephalograph）のマップエリア１６０と、ＭＲＩ（磁気共鳴画像：Magnetic  Resonance  Imaging）で取得された被測定者の脳の断層画像の表示ウィンドウ１９０が表示されている。等磁場図１５０では、磁場の湧き出し領域と沈み込み領域が色分けされて表示され、電流の流れる方向が視覚的に把握される。等磁場図１５０とマップエリア１６０は測定完了後に得られる情報であり、ＭＲＩの断層画像は、別途検査で得られる情報である。
【００６２】
モニタウィンドウ１７０には、表示部１０１〜１０３の信号波形が取得された時刻に同期して、測定時の被測定者の映像が表示される。解析者は、モニタウィンドウ１７０を見て被測定者の状態を確認しながら信号波形を解析することができる。
【００６３】
アノテーションリスト１８０は、測定収録で付加されたすべてのアノテーションがリストされている。アノテーションリスト１８０には、アノテーション番号１８１と対応付けて付加されたアノテーション情報（属性アイコン、テキスト入力情報など）が記載されている。解析画面のアノテーションリスト１８０は、たとえば、付加されたアノテーションが昇順で（古いデータが上になるように）表示されるが、これに限定されない。測定収録画面と同様にアノテーション番号の使用は必須ではなく、時刻、ファイル名、属性等の組み合わせでアノテーションを識別することも可能である。また、アノテーションリスト１８０に含まれるアノテーションの表示順序の変更や、項目ごとのソートも可能である。所望のアノテーション番号１８１または行をクリックすることで、図１１の表示部１０１〜１０３に、そのアノテーションが付加された時刻位置を含む所定の時間帯の信号波形を表示させることができる。
【００６４】
測定収録画面と異なり、解析者がアノテーション部分の信号波形を確認して最終的に信号源の推定がなされたアノテーションには、推定完了マーク１８２（図１２に示す）が表示されている。
【００６５】
アノテーションの表示／非表示を選択する選択ボックス１８０ａで非表示の指定がされると、図１１の表示部１０３の属性アイコン１０６−７、１０６−８が消える。表示／非表示の選択ボックス１８０ａで、ハイライトされたマーク１０３ａ−７、１０３ａ−８の非表示を選択できるようにしてもよい。
【００６６】
図１３は、図１１の解析画面で特定のアノテーションラインが選択された直後の画面を示す図である。図１３は、図１１の解析画面でライン１１７−７が選択（たとえばダブルクリック）された直後の画面の全体図である。解析者がアノテーションＡ７に着目して、この領域の波形を解析するためにライン１１７−７を選択（たとえばダブルクリック）すると、ハイライトされた信号波形の近傍の信号波形が拡大表示部２００に拡大表示される。領域１１４で示される一定の時間範囲にわたって、信号波形が時刻位置を示すライン２１７−７とともに拡大表示される。
【００６７】
図１４は、図１３の左側の領域２０３Ａ（信号波形の表示領域）の拡大図である。解析者は、拡大表示部２００に信号波形を拡大表示することで、収録時に付加されたマークの妥当性を再確認し、あるいは計測収録時にチェックされていない波形部分をチェックすることができる。たとえば、ライン２１７−７を左右にドラッグすることで、問題となる波形の正確な個所を特定または変更することができる。拡大表示部２００に、表示部１０３でハイライト表示されているマーク１０３ａ及びまたは属性アイコン１０６を反映させてもよい。ただし、振幅の特異点を正確に判断する際の視認の妨げになることも考えられるので、拡大表示部２００にハイライトされたマーク１０３ａや属性アイコン１０６を表示する場合は、表示と非表示の選択を可能にしておくのが望ましい。
【００６８】
拡大表示部２００に表示する信号波形の種類と、チャネル範囲を指定することも可能である。たとえば、解析者は、視線を表示部１０３でハイライトされたマーク１０３ａ−７から画面の上方へ移し、脳磁波形の表示部１０１または１０２の波形に振幅の特異点がないかを確認する。この場合、ボックス１２５に表示部１０１または１０２のターゲットのチャネル領域を入力することで、拡大表示部２００にマーク１０３ａ−７と関連する脳磁波形を拡大表示することができる。
【００６９】
拡大表示部２００の画面の下側には、確認ウィンドウ２１０が表示されている。確認ウィンドウ２１０は、信号波形の属性ボタン２１１と、信号源の推定ボタン２１２を含む。属性ボタン２１１は、測定収録画面のポップアップウィンドウ１１５に含まれる属性情報と対応し、収録時に付加された属性が誤っているときは、属性ボタン２１１を選択して正しい属性を選択することができる。信号波形の正しい位置、及び／あるいは属性の選択が確認されたならば、推定ボタン２１２をクリックすることで信号源の推定をアノテーションに反映することができる。
【００７０】
図１５は、図１３の右側の領域２０３Ｂの拡大図である。図１４で、所望のアノテーションについて、信号波形位置及び／または属性が確認され、信号源の推定ボタン２１２が選択されると、アノテーションリスト１８０の対応するアノテーション（この例では、アノテーション番号７）に、推定完了マーク１８２が付加される。さらに、表示ウィンドウ１９０のＭＲＩ断層画像に、ダイポールの推定結果１９０ａが表示される。
【００７１】
ここでダイポールを推定する際に用いる頭の位置は、現在注目している時刻より早い時刻で最も近い位置ずれアノテーションとともに保存されている位置を用いる。現在注目している時刻よりも早い時刻に位置ずれアノテーションが存在しない場合には、測定開始時に求めた頭の位置を用いる。
【００７２】
このようにすることで、計測途中で頭が移動した場合でも、正しい位置にダイポールを推定することが出来る。
【００７３】
ダイポール推定等の電流源推定を行うには、電流源とセンサの関係を求める必要がある。この処理では頭部の位置が必要であり、また処理時間を要する。したがって、通常はこの処理は計測の空き時間などを利用して解析を行う前にあらかじめ算出しておく場合が多い。
【００７４】
本実施の形態では、位置ずれが起こり、位置ずれを検出する度に、位置ずれアノテーションが自動的に付与される。したがって、位置ずれアノテーションの間においては頭部の位置ずれが検出されておらず、位置ずれアノテーションの間において頭の位置が同じであるとみなすことができる。そこで、位置ずれアノテーションで区切られた範囲ごとに、あらかじめ電流源とセンサの関係を求めておくことで、解析を素早く行うことが可能となる。
【００７５】
解析者によって、表示部１０１〜１０３にハイライト表示されるマーク位置、及び／またはアノテーション１１０ａの内容が変更される場合に、アノテーションリスト１８０の更新方法には、２通りの方法がある。解析者による最新の更新情報だけをアノテーションリスト１８０に反映する方法と、測定収録時のアノテーション情報を維持したまま、新たなアノテーション情報として追加する方法である。後者の方法を採用する場合は、アノテーション識別情報として、たとえば収録時のアノテーション番号からの枝番号を付けることができる。この場合、表示部１１０にも新たなアノテーション情報を追加して、追加のアノテーション情報を時間軸に沿って異なる色で表示してもよい。
【００７６】
図１６は、情報表示システム２０で行われる解析時での情報表示処理のフローチャートである。開始画面２０４（図２参照）で「解析」が選択されると（Ｓ２１）、解析が開始され、解析画面が表示される（Ｓ２２）。初期の解析画面は、信号波形が表示されていないブランク画面でもよいし、収録の先頭または最後の一定の時間範囲の信号波形であってもよい。解析画面が表示されると、特定のアノテーションが選択されたか否かが判断される（Ｓ２３）。アノテーションの選択は、アノテーションリスト１８０内での特定のアノテーション番号または行の選択であってもよいし、表示部１２０の時間軸１２２上のタイムゾーン１２０ｂを操作することによる時刻位置の指定であってもよい。アノテーションの選択があると（Ｓ２３でＹｅｓ）、選択されたアノテーションの時刻位置を含む所定時間分の信号波長が表示される（Ｓ２４）。
【００７７】
表示された場面で、ハイライト表示されたマークの時間位置を示すライン１１７が選択されたか否かが判断される（Ｓ２５）。ライン１１７が選択されると（Ｓ２５でＹｅｓ）、選択されたライン１１７を含む一定の時間範囲の信号波形が拡大表示される（Ｓ２６）。拡大表示は、必ずしもハイライト表示されたマークの近傍の信号波形に限定されず、同じ時間位置の異なる種類の信号波形を拡大表示してもよい。たとえば、脳波信号波形にハイライト表示されたマークが付されている場合に、同じ時間位置の脳磁信号波形を拡大表示させてもよい。また、すべてのチャネルの信号波形を拡大表示する替わりに、マークされた信号波形が取得されたチャネルを含む一定範囲のチャネルで取得された信号波形を拡大表示させてもよい。この場合、拡大表示させたい信号波形の種類、及び／またはチャネル範囲の指定入力の有無を判断してもよい。
【００７８】
次に、信号源の推定ボタン２１２が押下されたか否かが判断される（Ｓ２７）。信号源の推定ボタン２１２が押下されると（Ｓ２７でＹｅｓ）、信号源推定の演算が行われる。
【００７９】
ここで、ダイポールを推定する際に用いる頭の位置は、現在注目している時刻より早い時刻で最も近い位置ずれアノテーションとともに保存されている位置を用いる。現在注目している時刻よりも早い時刻に位置ずれアノテーションが存在しない場合には、測定開始時に求めた頭の位置を用いる。
【００８０】
推定結果がＭＲＩ断層画面に表示されるとともに、推定完了マーク１８２がアノテーションリスト１８０に追加される（Ｓ２８）。その後、解析終了コマンドが入力されたか否かが判断される（Ｓ２９）。アノテーションの選択がない場合（Ｓ２３でＮｏ）、拡大表示のためのアノテーションラインのクリックがない場合（Ｓ２５でＮｏ）、及び信号源推定ボタン選択の入力がない場合（Ｓ２７でＮｏ）は、ステップＳ２９へ飛んで解析終了の判断を行う。解析終了コマンドが入力されるまで（Ｓ２９でＹｅｓ）、ステップＳ２３〜Ｓ２８が繰り返される。
【００８１】
ステップＳ２６とＳ２７の間に、アノテーションが変更されたか否かの判断を行ってもよい。アノテーションが変更された場合は、アノテーションリスト１８０へ変更を反映して、ステップＳ２７の判断に移行する。
【００８２】
上述した表示処理動作により、視認性と操作性に優れた情報表示が実現する。
【００８３】
図１７及び図１８は、表示レイアウトの変形例を示す図である。複数種類のセンサからの信号波形を表示する場合に、信号の種類によって、表示位置を適宜設定することができる。たとえば、図１７に示すように、振幅が大きく視認しやすい脳波の信号波形を表示する表示部１０３を画面の上方に配置してもよい。この場合、脳磁分布図１４１および１４２を表示部１０１と１０２の右隣に配置し、脳波分布図１３０を表示部１０３の右隣且つ脳磁分布図１４１および１４２の上方に配置する。また、図１８に示すように、特定の表示部の縦方向のサイズを変更してもよい。たとえば脳波波形を表示する表示部１０３の枠を選択して画面の上下方向に動かすことで、表示部１０３と、表示部１０１及び１０２の縦方向のサイズの比率を変更できる。
【００８４】
タイムラインを表示する表示部１１０の位置は、画面の上端と下端に限定されず、脳磁波形と脳波波形の間に設けてもよい。また、たとえば脳磁波形と脳波波形の間で水平方向に延びるタイムラインと、画面の上端及び／又は下端に配置されるタイムラインを組み合わせてもよい。
【００８５】
図１９は、情報表示システム２０のハードウェア構成図である。情報表示システム２０は、ＣＰＵ（Central  Processing  Unit：プロセッサ）２１、ＲＡＭ（Random  Access  Memory）２２、ＲＯＭ（Read  Only  Memory）２３、補助記憶装置２４、入出力インタフェース２５、及び表示装置２６を有し、これらがバス２７で相互に接続されている。
【００８６】
ＣＰＵ２１は、情報表示システム２０の全体の動作を制御し、各種の情報処理を行う。ＣＰＵ２１はまた、ＲＯＭ２３または補助記憶装置２４に格納された情報表示プログラムを実行して、測定収録画面と解析画面の表示動作を制御する。ＲＡＭ２２は、ＣＰＵ２１のワークエリアとして用いられ、主要な制御パラメータや情報を記憶する不揮発ＲＡＭを含んでもよい。ＲＯＭ２３は、基本入出力プログラム等を記憶する。本発明の情報表示プログラムもＲＯＭ２３に保存されてもよい。補助記憶装置２４は、ＳＳＤ（Solid  State  Drive）、ＨＤＤ（Hard  Disk  Drive）などの記憶装置であり、たとえば、情報表示システム２０の動作を制御する制御プログラムや、情報表示システム２０の動作に必要な各種のデータ、ファイル等を格納する。入出力インタフェース２５は、タッチパネル、キーボード、表示画面、操作ボタン等のユーザインタフェースと、各種センサあるいはデータ収録サーバ４２からの情報を取り込み、他の電子機器に解析情報を出力する通信インタフェースの双方を含む。表示装置２６は図１のモニタディスプレイ２６に対応する。表示装置２６では測定収録画面と解析画面が表示され、入出力インタフェース２５を介した入出力操作に応じて画面が更新される。
【００８７】
図２０は、情報表示システム２０の機能ブロック図である。情報表示システム２０は、制御部２５０、解析部２５２、センサ情報取得部２５３、収録／解析情報保存部２５４、及びアノテーション入力部２５５を有する。制御部２５０は、情報表示システム２０の画面表示を制御する表示制御部２５１を含む。
【００８８】
センサ情報取得部２５３は、測定装置３あるいはデータ収録サーバ４２から、センサ情報を取得する。アノテーション入力部２５５は、センサ情報に付加されるアノテーション情報を入力する。解析部２５２は、収集されたセンサ情報を解析する。センサ情報の解析には、信号波形の解析、振幅の特異点の解析、電流ダイポールの向きを含む脳磁場の解析が含まれる。この例では、解析部２５２は、解析画面から選択されたアノテーションに対応する信号源を推定する機能（推定部の機能）を有している。表示制御部２５１は、センサ情報の測定収録時、及び解析時の画面表示を図２〜図１８を参照して説明した手法で制御する。収録／解析情報保存部２５４は、測定データと解析結果を保存する。測定収録時に信号波形にアノテーションが付加された場合は、信号波形が取得された時間情報と対応付けて、アノテーションも保存される。表示制御部２５１を含む制御部２５０の機能は、図１９のＣＰＵ２１がＲＯＭ２３等に格納されたプログラムをＲＡＭ２２上に展開して実行することによって実現される。解析部２５２の機能も、ＣＰＵ２１がＲＯＭ２３等に格納されたプログラムをＲＡＭ２２上に展開して実行することにより実現される。なお、これに限らず、例えば制御部２５０および解析部２５２の機能のうちの少なくとも一部が専用のハードウェア回路（半導体集積回路等）で実現される形態であってもよい。センサ情報取得部２５３とアノテーション入力部２５５の機能は入出力インタフェース２５によって実現される。収録／解析情報保存部２５４の機能は、ＲＯＭ２３または補助記憶装置２４によって実現される。
【００８９】
実施形態の情報表示システムの動作を情報表示プログラムの実行により実現する場合、情報表示プログラムは、ＣＰＵ２１に、（a）  信号検出の時間軸を表示する第１の表示部画面の第１方向に表示させる手順、（b）  信号測定で取得された複数の信号波形を表示する第２の表示部、前記第１方向と異なる第２方向に並列に表示させる手順、及び（c）  前記第２の表示部において前記複数の信号波形の少なくとも１つの波形上またはその近傍の領域の或る箇所が指定されたときに、当該指定箇所を強調表示させるとともに、前記指定箇所に対応する前記第１の表示部の時刻位置にも、前記指定の結果を指定情報として表示させる手順、を実行させる。
【００９０】
このような情報表示プログラムを情報表示システムにインストールすることで、同じ時間軸上に複数の信号波形が表示される画面で、信号波形の注目位置、または範囲（領域）を容易に視認することができる。
【００９１】
このように本実施の形態によれば、測定部位の動きの特定が容易で視認しやすい表示画面を実現することにより、測定部位の動きがあった場合でも、誤った解析が行われることを防ぎ、なおかつ短時間に解析が可能となる。
【００９２】
なお、上述した形態では、測定装置３が脳波信号と脳磁波信号を収集する構成であったが、これに限られない。たとえば、測定装置３は脳磁波信号を収集し、測定装置３とは別の脳波計で脳波信号を収集し、測定装置３および脳波計からそれぞれの生体信号をデータ収録サーバ４２に出力するようにしてもよい。
【産業上の利用可能性】
【００９３】
本発明の情報表示技術は、脳波と脳磁波の並列表示だけでなく、心電計や脊髄計など、多数の心電波形や神経信号を同じ時間軸上に表示する場面にも適用可能である。また、多数の地磁気センサを用いて磁場解析を行う地質探査システムや、品質管理の現場に設置された多数の対流計（熱流センサ）、多数の結露計（湿度センサ）等から収集される信号波形を同一時間軸上に表示する場合にも適用可能である。
【符号の説明】
【００９４】
１        生体信号計測システム
３        測定装置
２０      情報表示システム
２６      モニタディスプレイ
４２      データ収録サーバ
５０      変位測定部
１０１〜１０３  表示部（第２の表示部）
１０３ａ  マーク
１０６    属性アイコン
１１０、１２０  表示部（第１の表示部）
１１０ａ  アノテーション
１１２、１２２  時間軸
１１５    ポップアップウィンドウ
１８０    アノテーションリスト（第４の表示部）
２００    拡大表示部（第３の表示部）
２０１Ａ  測定収録画面の左側の領域
２０１Ｂ  測定収録画面の右側の領域
２０２Ａ  解析画面の左側の領域
２０２Ｂ  解析画面の右側の領域
２０３Ａ  解析画面の左側の領域
２０３Ｂ  解析画面の右側の領域
２５０    制御部
２５１    表示制御部
【先行技術文献】
【特許文献】
【００９５】
【特許文献１】特開２００５−９５４６９号公報
【特許文献２】特開２０１３−５９６２１号公報
【特許文献３】特開２０１１−８３４３３号公報
【特許文献４】特開２０１２−５５５１４号公報
【特許文献５】特開２０００−１０２５１６号公報
【図１】
2019162404.tif 000003
【図２】
2019162404.tif 000004
【図３】
2019162404.tif 000005
【図４】
2019162404.tif 000006
【図５】
2019162404.tif 000007
【図６】
2019162404.tif 000008
【図７】
2019162404.tif 000009
【図８】
2019162404.tif 000010
【図９】
2019162404.tif 000011
【図１０】
2019162404.tif 000012
【図１１】
2019162404.tif 000013
【図１２】
2019162404.tif 000014
【図１３】
2019162404.tif 000015
【図１４】
2019162404.tif 000016
【図１５】
2019162404.tif 000017
【図１６】
2019162404.tif 000018
【図１７】
2019162404.tif 000019
【図１８】
2019162404.tif 000020
【図１９】
2019162404.tif 000021
【図２０】
2019162404.tif 000022